(57)【要約】  腫瘍露出用施術装置は、皮膚に熱を加えて、皮膚切開なしに皮膚を徐々に瓦解させることによって、皮膚内の腫瘍が外部に露出するようにして、皮膚内の腫瘍を除去することができる。腫瘍露出用施術装置の加熱部は、容器と油と灯心とで構成される。容器は、内部に腫瘍が存在する皮膚に位置し、上下に貫通する形状を有する。油は、容器内に収納され、腫瘍がある皮膚に接触する。灯心は、油に挿入され、火を付けることができる。灯心がついて燃えるうちに、油の温度が上昇しながら発生した熱が腫瘍がある皮膚に加えられる。このような腫瘍露出用施術装置は、容器の外側に位置し、容器を取り囲み、且つ容器の外側にある皮膚と接触し、冷却させる冷却部と冷却水管の少なくとも１つをさらに備えることができる。また、容器の下部と皮膚との間に位置する接着剤をさらに備えることができる。【選択図】図１
2013505102.tif 000002
【特許請求の範囲】
【請求項１】
内部に腫瘍が存在する皮膚に位置し、前記皮膚に熱を加える加熱部と、
前記加熱部の外側に位置し、前記加熱部を取り囲み、且つ前記加熱部の外側にある皮膚と接触し、前記接触する皮膚を冷却させる冷却部と、
を備える腫瘍露出用施術装置。
【請求項２】
前記加熱部は、上下に貫通する形状の容器と、前記容器内に収納され、前記腫瘍がある皮膚に接触する油と、前記油に挿入され、火を付けることができる灯心とで構成され、
前記冷却部は、金属性素材よりなることを特徴とする請求項１に記載の腫瘍露出用施術装置。
【請求項３】
前記冷却部の上部において前記加熱部の外側に位置し、且つ冷却水を収納するか、または冷却水が流れることができるようにする冷却水管をさらに備えることを特徴とする請求項１に記載の腫瘍露出用施術装置。
【請求項４】
前記冷却部の内部に形成され、且つ冷却水を収納するか、または冷却水が流れることができるようにする冷却水管をさらに備えることを特徴とする請求項１に記載の腫瘍露出用施術装置。
【請求項５】
前記冷却部は、前記皮膚の表面屈曲に合わせて曲がることができる性質を有することを特徴とする請求項１に記載の腫瘍露出用施術装置。
【請求項６】
内部に腫瘍が存在する皮膚に位置し、上下に貫通する形状を有する容器と、
前記容器内に収納され、前記腫瘍がある皮膚に接触する油と、
前記油に挿入され、火を付けることができる灯心とを備え、
前記灯心に火がついて燃えるうちに、前記油の温度が上昇しながら発生した熱が前記腫瘍がある皮膚に加えられることを特徴とする腫瘍露出用施術装置。
【請求項７】
前記容器の下部と前記皮膚との間に位置する接着剤をさらに備えることを特徴とする請求項６に記載の腫瘍露出用施術装置。
【請求項８】
前記容器の外側に位置し、前記容器を取り囲み、且つ冷却水を収納するか、または冷却水が流れるようにし、前記容器の外側にある皮膚と接触し、前記接触する皮膚を冷却させる冷却水管をさらに備えることを特徴とする請求項６に記載の腫瘍露出用施術装置。
【請求項９】
前記容器の外側に位置し、前記容器を取り囲み、且つ前記容器の外側にある皮膚と接触し、前記接触する皮膚を冷却させる冷却部をさらに備えることを特徴とする請求項７に記載の腫瘍露出用施術装置。
【請求項１０】
前記冷却部の内部に形成され、且つ冷却水を収納するか、または冷却水が流れることができるようにする冷却水管をさらに備えることを特徴とする請求項９に記載の腫瘍露出用施術装置。
【請求項１１】
前記容器は、内側に延長した下端部を有することを特徴とする請求項６に記載の腫瘍露出用施術装置。
【請求項１２】
前記容器は、外側に延長した下端部を有することを特徴とする請求項６に記載の腫瘍露出用施術装置。
【請求項１３】
前記容器の外側に位置し、前記容器を取り囲み、且つ前記容器の外側にある皮膚と接触し、前記接触する皮膚を冷却させ、前記容器の外側に延長した下端部と係合する形態で内側に延長した上端部を有する冷却部をさらに備えることを特徴とする請求項１２に記載の腫瘍露出用施術装置。
【発明の詳細な説明】
【技術分野】
【０００１】
本発明は、腫瘍露出用施術装置に関し、より詳細には、皮膚に熱を加えて、皮膚を切開することなく皮膚を徐々に瓦解させることによって、皮膚内の腫瘍が外部に露出するようにして、皮膚内腫瘍を除去することができる腫瘍露出用施術装置に関する。
【背景技術】
【０００２】
腫瘍（tumor）とは、細胞の調節されない分裂によって惹起される非正常的成長を称する。腫瘍は、たびたび皮膚を通じて目で見られるか、手で触られるか、身体から外部に突出する形態を有する。
【０００３】
良性腫瘍（benign tumor）は、身体の他の部位に広がる可能性（すなわち転移（metastasis）と呼ばれる過程）がなく、外科的な除去手術を通じて治療することができる。しかし、悪性腫瘍（malignor cancerous tumor）は、身体の他の部位に転移されることができ、外科手術や他の方法で完全に治療しなければ、死亡に至ることもある。
【０００４】
外科的な除去手術は、腫瘍の治療法として知られた方式の１つである。他の方式としては、化学療法、放射線治療、生物学的治療がある。良性腫瘍は、転移される可能性がないので、外科的な除去手術だけでも成功的に治療することができる。しかし、悪性腫瘍の大部分は、外科手術とともに、化学療法や放射線治療を並行して治療している。
【０００５】
このような皮膚内腫瘍の外科的除去手術は、痲酔、皮膚切開、腫瘍除去、皮膚縫合などの複雑で且つ精密な過程を必要とする問題点がある。さらに、その他の腫瘍除去方式も、嘔吐、悪心、脱毛、下痢、食慾不振などの副作用を誘発する問題点がある。
【発明の概要】
【発明が解決しようとする課題】
【０００６】
したがって、本発明は、前述したような従来の腫瘍除去方式が有している問題点を解決するためになされたものである。
【０００７】
本発明の目的は、痲酔や皮膚切開なしに、皮膚内の腫瘍を簡便で且つ容易に除去することができる腫瘍露出用施術装置を提供することにある。
【０００８】
また、本発明の他の目的は、腫瘍除去による副作用を最小化するかまたは防止することができる腫瘍露出用施術装置を提供することにある。
【課題を解決するための手段】
【０００９】
上記目的を達成するために、本発明の一態様によって提供される腫瘍露出用施術装置は、内部に腫瘍が存在する皮膚に位置し、前記皮膚に熱を加える加熱部と、前記加熱部の外側に位置し、前記加熱部を取り囲み、且つ前記加熱部の外側にある皮膚と接触し、前記接触する皮膚を冷却させる冷却部とを備えて構成される。
【００１０】
本発明による腫瘍露出用施術装置において、前記加熱部は、上下に貫通する形状の容器と、前記容器内に収納され、前記腫瘍がある皮膚に接触する油と、前記油に挿入され、火を付けることができる灯心とで構成されることができ、前記冷却部は、金属性素材よりなることができる。
【００１１】
また、本発明による腫瘍露出用施術装置は、前記冷却部の上部において前記加熱部の外側に位置し、冷却水を収納するか、または冷却水が流れることができるようにする冷却水管をさらに備えることができる。
【００１２】
また、本発明による腫瘍露出用施術装置は、前記冷却部の内部に形成され、冷却水を収納するか、または冷却水が流れることができるようにする冷却水管をさらに備えることができる。
【００１３】
また、本発明による腫瘍露出用施術装置において、前記冷却部は、前記皮膚の表面屈曲に合わせて曲がることができる性質を有することができる。
【００１４】
また、本発明の他の態様によって提供される腫瘍露出用施術装置は、内部に腫瘍が存在する皮膚に位置し、上下に貫通する形状を有する容器と、前記容器内に収納され、前記腫瘍がある皮膚に接触する油と、前記油に挿入され、火を付けることができる灯心とを備え、前記灯心に火がついて燃えるうちに、前記油の温度が上昇しながら発生した熱が前記腫瘍がある皮膚に加えられることが特徴である。
【００１５】
このような腫瘍露出用施術装置は、前記容器の下部と前記皮膚との間に位置する接着剤をさらに備えることができる。
【００１６】
また、前記腫瘍露出用施術装置は、前記容器の外側に位置し、前記容器を取り囲み、且つ冷却水を収納するか、または冷却水が流れることができるようにし、前記容器の外側にある皮膚と接触し、前記接触する皮膚を冷却させる冷却水管をさらに備えることができる。
【００１７】
また、前記腫瘍露出用施術装置は、前記容器の外側に位置し、前記容器を取り囲み、且つ前記容器の外側にある皮膚と接触し、前記接触する皮膚を冷却させる冷却部をさらに備えることができる。
【００１８】
この場合、前記腫瘍露出用施術装置は、前記冷却部の内部に形成され、冷却水を収納するか、または冷却水が流れることができるようにする冷却水管をさらに備えることができる。
【００１９】
また、前記腫瘍露出用施術装置において、前記容器は、内側に延長した下端部を有することができる。
【００２０】
また、前記腫瘍露出用施術装置において、前記容器は、外側に延長した下端部を有することができる。
【００２１】
この場合、前記腫瘍露出用施術装置は、前記容器の外側に位置し、前記容器を取り囲み、且つ前記容器の外側にある皮膚と接触し、前記接触する皮膚を冷却させ、前記容器の外側に延長した下端部と係合する形態で内側に延長した上端部を有する冷却部をさらに備えることができる。
【発明の効果】
【００２２】
本発明による腫瘍露出用施術装置は、皮膚に熱を浸透させて、皮膚を徐々に瓦解させることによって、皮膚内の腫瘍が外部に露出するようにする。したがって、皮膚を切開することなく、簡便で且つ容易に皮膚内の腫瘍を除去することができる。さらに、本発明による腫瘍露出用施術装置は、熱によって皮膚内の腫瘍を外部に露出させて除去する方式なので、従来の外科的除去手術のように、複雑で且つ精密な施術過程を必要とせず、従来のその他の腫瘍除去方式が有している副作用を最小化するかまたは防止することができる。
【図面の簡単な説明】
【００２３】
【図１】本発明の実施例による腫瘍露出用施術装置の斜視図である。
【図２】図１に示された腫瘍露出用施術装置の分解斜視図である。
【図３】図１に示された腫瘍露出用施術装置の断面図である。
【図４】本発明の他の実施例による腫瘍露出用施術装置の斜視図である。
【図５】図４に示された腫瘍露出用施術装置の断面図である。
【図６】本発明のさらに他の実施例による腫瘍露出用施術装置の断面図である。
【図７】本発明のさらに他の実施例による腫瘍露出用施術装置の断面図である。
【発明を実施するための形態】
【００２４】
以下、添付の図面を参照して本発明の実施例をより詳細に説明する。但し、実施例を説明するにあたって、本発明の属する技術分野によく知られているか、または本発明と直接関連がない事項については、本発明の核心を不明瞭にせず、明確に伝達するために説明を省略することができる。
【００２５】
なお、添付の図面において一部の構成要素は、誇張されるか、省略されるか、または概略的に図示され、各構成要素のサイズは、実際サイズを完全に反映するものではない。添付の図面において、同一または対応の構成要素には、同一の参照番号を付与する。
【００２６】
図１は、本発明の実施例による腫瘍露出用施術装置の斜視図であり、図２は、図１に示された腫瘍露出用施術装置の分解斜視図であり、図３は、図１に示された腫瘍露出用施術装置の断面図である。
【００２７】
図１〜図３を参照すれば、本実施例の腫瘍露出用施術装置は、加熱部１０、冷却部２０、冷却水管３０よりなる。
【００２８】
加熱部１０は、腫瘍が存在する皮膚に位置し、皮膚に熱を加えるためのものである。具体的に、加熱部１０は、容器１１、油１２、灯心１３で構成される。
【００２９】
容器１１は、上下に貫通する円筒形状である。容器１１は、腫瘍のある皮膚が容器１１の貫通部に位置するように皮膚の上に載置する。腫瘍は、皮膚を通じて目で見られるか、手で触られるかまたは身体から外部に突出する形態を有するので、容器１１の位置を決定するのに困難さがない。容器１１の素材は、熱伝導性の低い物質が好ましい。例えば、容器１１は、セラミックス、石膏、粘土素焼きなどで形成することができる。また、澱粉、米などの穀物を蒸した粉を水に練った後、圧縮し、フレームに成形して乾燥したもので容器１１を製造することもできる。
【００３０】
油１２は、容器１１の内に収納され、腫瘍がある皮膚に接触する。例えば、腫瘍がある皮膚の上に容器１１を載置し、容器１１の約３分の１を油１２で満たす。油１２は、動物性油や植物性油を使用することができる。例えば、動物性油としては、ウシ油、ウマ油、アナグマ油、ヤギ油、イヌ油、ガチョウ油、アヒル油などを使用することができ、植物性油としては、ひまし油、オリーブ油、ピーナッツ油、 アプリコット種子油、唐辛子種油、月見草油、アーモンド油、 ツバキ油、ヤシ油、 菜種油｛なたねあぶら｝、ゴマ油、エゴマ油、 ブドウ種子油、マメ油、クルミ油などを使用することができる。
【００３１】
灯心１３は、油１２に挿入され、火を付けることができる構成である。灯心１３は、１または２回ねじられた形態の丸い受け台と、上側に延長した灯心台（例えば、１．５〜２ｃｍの長さ）とで構成される。灯心１３の受け台を油１２の中に沈めれば、灯心台が油１２の表面の上に突出し、油１２が灯心１３に吸収される。したがって、灯心台に火を付ければ、通常のキャンドルと同様の原理で灯心台に吸収された油１２が燃えながら灯心の火１４を起こすことができる。灯心１３は、コウゾよりなる韓紙を使用することが好ましく、その他、ガラス繊維などの素材も、灯心１３として使用されることができる。
【００３２】
一方、図３に示されたように、容器１１の下部と皮膚との間には、接着剤１５を塗ることができる。接着剤１５は、例えば、米糊や小麦粉の糊などであり、皮膚の上に容器１１を固定する役目と、容器１１に収納された油１２が外部に漏れないように防止する役目をする。腫瘍がある皮膚の上に容器１１を載置する前に、皮膚にまず接着剤１５を塗ることもでき、容器１１の下部に接着剤１５を塗った状態で容器１１を皮膚の上に固定することもできる。前者の場合、接着剤１５は、容器１１によって覆われる皮膚全体に塗ることもできる。すなわち、この場合、接着剤１５は、油１２の下部にも位置するようになる。
【００３３】
以上説明したように、加熱部１０は、容器１１の内部に油１２を満たし、油１２に灯心１３を挿入し、火１４を起こすように構成される。灯心の火１４が燃えるうちに、油１２の温度は約６０〜７０℃まで上昇し、これにより、熱が皮膚に持続的に加えられる。このような熱は、油１２の柔らかさと共に皮膚に作用し、皮膚組職及び筋肉を破壊させながら皮膚を徐々に瓦解させて拡張させるようになる。したがって、メスを利用して皮膚を切開しないとしても、皮膚内の腫瘍が外部に露出するようにすることができる。
【００３４】
灯心１３で灯心の火１４が燃えていても、油１２の温度は、略６０〜７０℃に過ぎない。これは、通常的なキャンドルの原理と同様でありり、この程度の温度は、被施術者が充分に耐えることができる温度である。但し、灯心の火１４が持続的についていて、油１２の温度が高くなるにつれて、被施術者が熱さを訴えれば、灯心の火１４を消し、しばらくして、さらにつける式で繰り返して施術するようになる。
【００３５】
前述した説明において、容器１１を熱伝導性が低い物質で形成する理由は、腫瘍がある皮膚には、油１２による熱が加えられるが、腫瘍がない周辺皮膚には、熱が伝達されることを抑制するかまたは防止するためのものである。このような点を極大化するために、本実施例の腫瘍露出用施術装置に追加に使用される構成要素が冷却部２０及び冷却水管３０である。
【００３６】
冷却部２０は、加熱部１０の外側に位置する皮膚を冷却させるためのものである。したがって、冷却部２０は、加熱部１０の外側に位置し、皮膚と接触し、且つ加熱部１０を取り囲む薄くて且つ幅が広いドーナツ型で形成されることができる。冷却部２０は、加熱部１０の外側の皮膚を冷却させるために設けられる構成要素なので、熱を効率的に除去することができるように金属性素材よりなることが好ましい。
【００３７】
また、冷却部２０は、皮膚と接触する面積を極大化し、熱除去効率性を高めることが好ましい。このために、冷却部２０は、皮膚表面の屈曲に合わせて曲がることができる性質を有する銅やアルミニウムなどを利用することができる。
【００３８】
一方、冷却水管３０は、冷却部２０の上部において加熱部１０の外側に位置し、螺旋形で２〜３回巻き取られた形態を有することができる。冷却水管３０は、加熱部１０外側の皮膚を冷却させる冷却部２０の冷却効果をさらに向上させるためのもので、冷却水を収納されているか、または冷却水が流れることができるようにする。
【００３９】
以上説明した腫瘍露出用施術装置は、ただ本発明を説明するために提示した実施例に過ぎないもので、本発明が必ずこのような実施例に限るものに解すべきものではない。前述の実施例の腫瘍露出用施術装置は、冷却部２０及び冷却水管３０を共に含む構成であるが、本発明の腫瘍露出用施術装置は、冷却部２０及び冷却水管３０のいずれか１つだけ含む構成も可能であり、場合によっては、冷却部２０及び冷却水管３０のいずれも備えることなく、加熱部１０だけで構成されることもできる。その他、本発明の腫瘍露出用施術装置は、多様な実施例を通じて具現されることができる。以下、これについて説明する。
【００４０】
図４は、本発明の他の実施例による腫瘍露出用施術装置の斜視図であり、図５は、図４に示された腫瘍露出用施術装置の断面図である。
【００４１】
図４及び図５を参照すれば、本実施例の腫瘍露出用施術装置は、加熱部１０、冷却部２０、冷却水管３０で構成されるが、冷却水管３０が、前述した実施例のように冷却部２０の外部に形成されるものではなく、冷却部２０の内部に形成される。したがって、冷却部２０と冷却水管３０を別に備えなければならない煩わしさを避けることができ、腫瘍露出用施術装置の外観が簡潔になる。一方、容器１１の下部と皮膚との間には、図５に示されたように接着剤１５を形成してもよく、または形成しなくてもよい。
【００４２】
冷却部２０の内部に形成された冷却水管３０は、単純に冷却水を貯蔵する構造であってもよく、冷却水のフローを誘導する構造であってもよい。後者の場合、冷却水管３０は、冷却部２０の外部と連通する冷却水流入口と冷却水流出口を備え、冷却水流入口は、ホース３１を通じて冷却水筒３２と連結されることができる。また、冷却水流入口と冷却水流出口は、互いに隣接して位置し、それら間の冷却水管３０に仕切り３３が形成されることができる。したがって、冷却水流入口を通じて冷却水管３０に流入された冷却水は、仕切り３３によって冷却水流出口の側にすぐ流れず、冷却水管３０に沿って加熱部１０の容器１１の周りを回って冷却水流出口を通じて抜け出るようになる。その他、冷却水の循環を誘導するための循環ポンプなどの構成要素が場合によって追加に使用されることもできる。
【００４３】
図６は、本発明のさらに他の実施例による腫瘍露出用施術装置の断面図である。
【００４４】
図６を参照すれば、本実施例の腫瘍露出用施術装置は、加熱部１０と冷却部２０で構成され、加熱部１０の容器１１が内側に延長した下端部１１ａを有する点が特徴である。前述した実施例のように、本実施例の腫瘍露出用施術装置も、冷却部２０の外部または内部に位置する冷却水管をさらに備えることができることは勿論である。また、場合によって、冷却部２０なしに加熱部１０だけで腫瘍露出用施術装置が構成されてもよく、冷却部２０の代わりに、冷却水管３０に代替されてもよい。
【００４５】
本実施例において、内側に延長した容器下端部１１ａは、接着剤１５との接着面積を増加させる。したがって、接着剤１５を通じて加熱部１０の容器１１を皮膚の上に固定させる時、容器１１が安定的に固定されることができるようにする。
【００４６】
図７は、本発明のさらに他の実施例による腫瘍露出用施術装置の断面図である。
【００４７】
図７を参照すれば、本実施例の腫瘍露出用施術装置は、加熱部１０と冷却部２０で構成され、加熱部１０の容器１１が外側に延長した下端部１１ｂを有し、これに対応して冷却部２０が内側に延長した上端部２０ａを有する点が特徴である。前述した実施例のように、本実施例の腫瘍露出用施術装置も、冷却部２０の外部または内部に位置する冷却水管をさらに備えることができることは勿論である。また、場合によって、冷却部２０なしに、加熱部１０だけで腫瘍露出用施術装置が構成されてもよく、冷却部２０の代わりに冷却水管３０に代替されてもよい。また、図示してはいないが、前述した実施例と同様に、容器１１と皮膚との間に接着剤が形成されることができる。
【００４８】
本実施例から、外側に延長した容器下端部１１ｂは、図６に示された内側に延長した容器下端部１１ａと同様に、接着剤との接着面積を増加させることができる。さらに、外側に延長した容器下端部１１ｂと内側に延長した冷却部上端部２０ａは、互いに係合する形態を有するので、皮膚に加熱部１０を載置した後、その周りに冷却部２０を配置する時、冷却部２０の遊動が防止され、安定的な使用が可能になる。
【００４９】
本明細書と図面に開示された本発明の実施例は、本発明の技術内容を容易に説明し、本発明の理解を助けるために特定例を提示したものに過ぎず、本発明の範囲を限定しようとするものではない。ここに開示された実施例以外にも、本発明の技術的思想に基づく他の変形例が実施可能であることは、本発明が属する技術分野における通常の知識を有する者に自明である。
【図１】
2013505102.tif 000003
【図２】
2013505102.tif 000004
【図３】
2013505102.tif 000005
【図４】
2013505102.tif 000006
【図５】
2013505102.tif 000007
【図６】
2013505102.tif 000008
【図７】
2013505102.tif 000009
【国際調査報告】
2013505102.tif 000010
2013505102.tif 000011
2013505102.tif 000012
2013505102.tif 000013